(57)【要約】  情報記録媒体（１００）は、（ｉ）レーザ光によって、第１情報を第１トラックピッチに基づいて再生するための第１トラックが形成された第１情報記録エリアと、（ｉｉ）レーザ光によって、第２情報を第１トラックピッチとは異なる第２トラックピッチに基づいて再生するための第２トラックが形成された第２情報記録エリアとを備え、第２トラックに、記録マークが予め記録されている。【特許請求の範囲】
【請求項１】
レーザ光によって、第１情報を第１トラックピッチに基づいて記録又は再生するための第１トラックが形成された第１情報記録エリアと、
前記レーザ光によって、第２情報を第１トラックピッチとは異なる第２トラックピッチに基づいて記録又は再生するための第２トラックが形成された第２情報記録エリアと
を少なくとも備え、
前記第２トラックに、記録マークが予め記録されていることを特徴とする情報記録媒体。
【請求項２】
前記第２トラックに、所定の割合に基づいた前記記録マークが予め記録されていることを特徴とする請求の範囲第１項に記載の情報記録媒体。
【請求項３】
前記第２トラックに、（ｉ）前記記録マークの長さと、（ｉｉ）前記記録マークが予め記録されていない間隙であるスペースの長さとの割合に基づいた前記記録マークが予め記録されていることを特徴とする請求の範囲第１項に記載の情報記録媒体。
【請求項４】
前記第２トラックに、（ｉ）前記記録マークにおける光反射率と、（ｉｉ）前記記録マークが予め記録されていない間隙であるスペースにおける光反射率との割合に基づいた前記記録マークが予め記録されていることを特徴とする請求の範囲第１項に記載の情報記録媒体。
【請求項５】
前記第２トラックに、所定振幅のフォーカスエラー信号が得られるように、前記記録マークが予め記録されていることを特徴とする請求の範囲第１項に記載の情報記録媒体。
【請求項６】
前記第１情報記録エリアは、前記第１情報として、ユーザデータが記録可能であり、
前記第２情報記録エリアは、前記第１情報記録エリアよりも内周側に配置され、当該第２情報記録エリアにおいては、前記第２情報として、前記レーザ光の記録特性に関する管理情報が、第１トラックピッチより大きな第２トラックピッチに基づいて予め記録されていることを特徴とする請求の範囲第１項に記載の情報記録媒体。
【請求項７】
前記第１トラックピッチは、０．３２（μｍ）であり、前記第２トラックピッチは、０．３５（μｍ）であることを特徴とする請求の範囲第６項に記載の情報記録媒体。
【請求項８】
前記第２トラックに、前記記録マークが予め記録されているか否かを示す識別情報（フラグ）が予め記録されていることを特徴とする請求の範囲第１項に記載の情報記録媒体。
【請求項９】
当該情報記録媒体を判別可能であると共に、トラッキング制御に依存せずに読み取り可能な判別情報が予め記録された判別情報記録エリア（ＢＣＡ：Burst Cutting Area）を更に有し、
前記識別情報は、前記判別情報に含まれることを特徴とする請求の範囲第８項に記載の情報記録媒体。
【請求項１０】
前記第１情報記録エリアにおいては、（ｉ−１）前記第１トラックとしての第１グルーブトラックと、（ｉ−２）第１ランドトラックとが交互に形成されており、
前記第２情報記録エリアにおいては、（ｉｉ−１）前記第２トラックとしての第２グルーブトラックと、（ｉｉ−２）第２ランドトラックとが交互に形成されていることを特徴とする請求の範囲第１項に記載の情報記録媒体。
【請求項１１】
複数の情報を夫々記録するための複数の記録層を備えており、
前記複数の記録層のうち、少なくとも一の記録層は、前記第１情報記録エリア、及び前記第２情報記録エリアを備えることを特徴とする請求の範囲第１項に記載の情報記録媒体。
【請求項１２】
レーザ光によって、第１情報を第１トラックピッチに基づいて記録又は再生するための第１トラックが形成された第１情報記録エリアと、前記レーザ光によって、第２情報を第１トラックピッチとは異なる第２トラックピッチに基づいて記録又は再生するための第２トラックが形成された第２情報記録エリアとを少なくとも備え、前記第２トラックに、記録マークが予め記録されている情報記録媒体であって、前記第２トラックに、前記記録マークが予め記録されているか否かを示す識別情報が予め記録されている情報記録媒体を再生する情報再生装置であって、
レーザ光を照射し、その反射光を受光する光ピックアップ手段と、
前記識別情報を取得する取得手段と、
前記光ピックアップ手段の出力、及び取得された前記識別情報に基づいて、前記第１情報、及び前記第２情報を再生する再生手段と
を備えることを特徴とする情報再生装置。
【請求項１３】
前記情報記録媒体は、当該情報記録媒体を判別可能であると共に、トラッキング制御に依存せずに読み取り可能な判別情報が予め記録された判別情報記録エリア（ＢＣＡ：Burst Cutting Area）を更に有し、前記識別情報は、前記判別情報に含まれ、
前記判別情報をトラッキング制御に依存せずに読み取り可能な読取手段を更に備え、
前記再生手段は、更に、読み取られた前記判別情報に基づいて、前記第１情報、及び前記第２情報を再生することを特徴とする請求の範囲第１２項に記載の情報再生装置。
【請求項１４】
レーザ光によって、第１情報を第１トラックピッチに基づいて記録又は再生するための第１トラックが形成された第１情報記録エリアと、前記レーザ光によって、第２情報を第１トラックピッチとは異なる第２トラックピッチに基づいて記録又は再生するための第２トラックが形成された第２情報記録エリアとを少なくとも備える情報記録媒体を製造する製造装置であって、
前記第２トラックに、記録マークを予め記録する記録手段と、
前記情報記録媒体において、前記記録マークを予め記録する所定の位置を設定する位置設定手段と、
設定された前記所定の位置において、前記記録マークを予め記録するように前記記録手段を制御する制御手段と
を備えることを特徴とする情報記録媒体の製造装置。
【請求項１５】
レーザ光によって、第１情報を第１トラックピッチに基づいて記録又は再生するための第１トラックが形成された第１情報記録エリアと、前記レーザ光によって、第２情報を第１トラックピッチとは異なる第２トラックピッチに基づいて記録又は再生するための第２トラックが形成された第２情報記録エリアとを少なくとも備え、前記第２トラックに、記録マークが予め記録されている情報記録媒体であって、前記第２トラックに、前記記録マークが予め記録されているか否かを示す識別情報が予め記録されている情報記録媒体を再生するために、レーザ光を照射し、その反射光を受光する光ピックアップ手段を含む情報再生装置における情報再生方法であって、
前記識別情報を取得する取得工程と、
前記光ピックアップ手段の出力、及び取得された前記識別情報に基づいて、前記第１情報、及び前記第２情報を再生する再生工程と
を備えることを特徴とする情報再生方法。
【請求項１６】
レーザ光によって、第１情報を第１トラックピッチに基づいて記録又は再生するための第１トラックが形成された第１情報記録エリアと、前記レーザ光によって、第２情報を第１トラックピッチとは異なる第２トラックピッチに基づいて記録又は再生するための第２トラックが形成された第２情報記録エリアとを少なくとも備える情報記録媒体を製造する製造方法であって、
前記第２トラックに、記録マークを予め記録する記録工程と、
前記情報記録媒体において、前記記録マークを予め記録する所定の位置を設定する位置設定工程と、
設定された前記所定の位置において、前記記録マークを予め記録するように前記記録手段を制御する制御工程と
を備えることを特徴とする情報記録媒体の製造方法。
【発明の詳細な説明】
【技術分野】
【０００１】
本発明は、例えばＤＶＤ（Digital Versatile Disc）、ＢＤ（Blu-ray Disc）、ＣＤ（Compact Disc）等の情報記録媒体、当該情報記録媒体に情報を再生するためのＤＶＤプレーヤー等の情報再生装置及び方法、並びに、情報記録媒体を製造する製造装置及び方法の技術分野に関する。
【背景技術】
【０００２】
例えば、ＣＤ−Ｒ（Compact Disc−Recordable）、ＤＶＤ−Ｒ、ＤＶＤ−ＲＷ、ＤＶＤ＋Ｒ、及び、ＢＤ−ＲＥ（Blu-ray Disc−ReWritable）等の記録型の情報記録媒体では、基板上に積層された、少なくとも一つの記録層に対して記録用のレーザ光を集光することで、当該記録層に対して情報が加熱などによる非可逆変化記録方式や書換え可能方式で記録される。或いは、当該記録層に備えられた、例えば管理情報記録エリア等において、管理情報が予め記録されている。ここに、管理情報とは、例えば最適記録パワー等の記録特性に関する情報や、媒体の種類を特定するための属性情報等の、当該情報記録媒体を管理するための各種の情報である。詳細には、ＤＶＤ−Ｒにおいては、レーザ光によって予め記録されている。或いは、ＤＶＤ−ＲＷにおいては、内周側にエンボスピットが形成されることによって管理情報が予め記録されている。【０００３】
特に、例えば波長が４０５ｎｍであるＢＤ等の相対的に短い波長のレーザ光によって、記録又は再生が行われるＢＤ−ＲＥにおいては、ユーザデータエリアとは異なる変調方式でグルーブトラックによって、管理情報が予め記録されている。加えて、管理情報は当該光ディスクの特徴を知り得る、唯一固有の情報であり重要であるため、例えばドライブ等の情報記録再生装置によって、確実且つ適切に読み取り可能なように、隣接トラックからの影響、即ち、クロストークによる再生品質の低下を抑制するために、トラックピッチを相対的に大きくする手法についても提案されている。特に、ＢＤ−ＲＥにおいては、スポット径が、例えばＤＶＤ等におけるスポット径よりも相対的に小さくなるので、このようにトラックピッチを相対的に大きくすることは、再生品質の向上の観点で効果的である。【０００４】
【特許文献１】特開２００３−３４６３８４号公報
【発明の開示】
【発明が解決しようとする課題】
【０００５】
しかしながら、例えばＢＤ−ＲＥ等の情報記録媒体においては、上述したように、ユーザデータエリアのトラックピッチより大きなトラックピッチが設定された管理情報記録エリアがユーザデータエリアの内周側に配置されている。【０００６】
よって、仮に、グルーブトラックの溝の深さが情報記録媒体の信号面において、概ね同じ場合、管理情報記録エリアのトラックピッチが相対的に大きいことに対応して、半径方向に２分割された受光面から夫々検出される検出信号の差に基づいて生成されるプッシュプル信号の振幅も相対的に大きくなる。【０００７】
よって、例えば対物レンズを面振れ方向やトラック振れ方向に変位させるアクチュエータを駆動する駆動回路においては、上述したように管理情報記録エリアから得られる、振幅が相対的に大きなプッシュプル信号に起因される漏れ込みノイズは、例えば非点収差法等のフォーカス制御の下でのフォーカスエラー信号にとって、外乱であり、悪影響を及ぼし、ひいては、フォーカス制御を破綻させる可能性があるという技術的な問題点を有している。【０００８】
本発明は、例えば上述した従来の問題点に鑑みなされたものであり、例えば複数種類のトラックピッチが設定された情報記録媒体であっても、より簡便且つ高精度に情報の再生等を行うことを可能とならしめる情報記録媒体、情報再生装置及び方法、情報記録媒体の製造装置及び方法、並びに、コンピュータをこのような情報再生装置、及び製造装置として機能させるコンピュータプログラムを提供することを課題とする。
【課題を解決するための手段】
【０００９】
（情報記録媒体）
以下、本発明の情報記録媒体について説明する。【００１０】
上記課題を解決するために、本発明の情報記録媒体は、レーザ光によって、第１情報（ユーザ情報：ユーザデータ）を第１トラックピッチに基づいて記録又は再生するための第１トラックが形成された第１情報記録エリア（ユーザデータエリア又は第１管理情報記録エリア）と、前記レーザ光によって、第２情報（管理情報）を第１トラックピッチとは異なる第２トラックピッチに基づいて記録又は再生するための第２トラックが形成された第２情報記録エリア（第２管理情報記録エリア：プリ記録エリア）とを少なくとも備え、前記第２トラックに、記録マークが予め記録されている。【００１１】
本発明の情報記録媒体によれば、例えば、ディスク状の基板上に、少なくとも１つの記録層が積層されている。この記録層の第１情報記録エリアにおいては、例えば波長が４０５ｎｍであるＢＤ等の相対的に短い波長のレーザ光によって、例えば音声、映像情報、コンテンツ情報、或いは、ユーザデータ等の第１情報がグルーブトラック、及びランドトラック等の第１トラックを介して、第１トラックピッチに基づいて、記録又は再生可能とされている。この記録層の第２情報記録エリアにおいては、例えばＢＤ等のレーザ光によって、例えば管理情報等の第２情報がグルーブトラック、及びランドトラック等の第２トラックを介して、第２トラックピッチに基づいて、記録又は再生可能とされている。【００１２】
特に、本発明では、例えば管理情報記録エリア等の第２情報記録エリアに形成された第２トラックに、記録マークが予め記録されている。尚、トラックを構成するグルーブトラックにおいて、記録マークが予め記録されていてもよいし、或いは、トラックを構成するランドトラックにおいて、記録マークが予め記録されていてもよい。【００１３】
従って、本発明では、例えば、トラックピッチが相対的に大きい第２トラックが形成された第２情報記録エリアにおいては、当該記録エリアの光反射率を高めることが可能な記録マークが、例えば所定の割合で予め記録される。このことにより、例えば情報再生装置によるフォーカス制御のためのフォーカスエラー信号を、記録マークが予め記録されていない場合よりも、相対的に大きくさせることが可能である。即ち、情報再生装置によるトラッキング制御の際に、半径方向に２分割された受光面から夫々検出される検出信号の差に基づいて生成されるプッシュプル信号の振幅が、トラックピッチが相対的に大きいことに伴って、相対的に大きくなっても、フォーカスエラー信号そのものを相対的に大きくさせることが可能である。【００１４】
この結果、例えば対物レンズを面振れ方向やトラック振れ方向に変位させるアクチュエータを駆動する駆動回路において、第２情報記録エリアから得られる、相対的に大きくなったプッシュプル信号に起因される漏れ込みノイズによる、例えば非点収差法等のフォーカス制御への影響を低減させ、悪影響を殆ど又は完全に無くすことが可能である。従って、後述される情報再生装置において、フォーカス制御やトラッキング制御を含む各種自動制御をより高精度に行わせ、より高精度な情報の再生を実現させることが可能である。【００１５】
本発明の情報記録媒体の一の態様では、前記第２トラックに、所定の割合に基づいた前記記録マークが予め記録されている。【００１６】
この態様によれば、所定の割合に基づいて、例えば情報再生装置によるフォーカス制御のためのフォーカスエラー信号を、記録マークが予め記録されていない場合よりも、より高精度に、相対的に大きくさせることが可能である。尚、所定の割合とは、各種のパラメータの、情報記録媒体の信号面全体における平均値を示してもよいし、部分的な領域における割合を示すようにしてもよい。【００１７】
本発明の情報記録媒体の他の態様では、前記第２トラックに、（ｉ）前記記録マークの長さと、（ｉｉ）前記記録マークが予め記録されていない間隙であるスペースの長さとの割合に基づいた前記記録マークが予め記録されている。【００１８】
この態様によれば、記録マークの長さと、スペースの長さとの割合に基づいて、例えば情報再生装置によるフォーカス制御のためのフォーカスエラー信号を、記録マークが予め記録されていない場合よりも、より高精度に、相対的に大きくさせることが可能である。【００１９】
本発明の情報記録媒体の他の態様では、前記第２トラックに、（ｉ）前記記録マークにおける光反射率と、（ｉｉ）前記記録マークが予め記録されていない間隙であるスペースにおける光反射率との割合に基づいた前記記録マークが予め記録されている。【００２０】
この態様によれば、記録マークにおける光反射率と、スペースにおける光反射率との割合に基づいて、例えば情報再生装置によるフォーカス制御のためのフォーカスエラー信号を、記録マークが予め記録されていない場合よりも、より高精度に、相対的に大きくさせることが可能である。【００２１】
本発明の情報記録媒体の他の態様では、前記第２トラックに、所定振幅のフォーカスエラー信号が得られるように、前記記録マークが予め記録されている。【００２２】
この態様によれば、所定振幅のフォーカスエラー信号が得られることに基づいて、例えば情報再生装置によるフォーカス制御のためのフォーカスエラー信号を、記録マークが予め記録されていない場合よりも、より高精度に、相対的に大きくさせることが可能である。尚、記録マークを予め記録する際の各種のパラメータを変えて、例えば、実験的、経験的又は理論的若しくはシミュレーション等により、個別具体的に、所定振幅のフォーカスエラー信号が得られるようにすればよい。【００２３】
本発明の情報記録媒体の他の態様では、前記第１情報記録エリアは、前記第１情報として、ユーザデータが記録可能であり、前記第２情報記録エリアは、前記第１情報記録エリアよりも内周側に配置され、当該第２情報記録エリアにおいては、前記第２情報として、前記レーザ光の記録特性に関する管理情報が、第１トラックピッチより大きな第２トラックピッチに基づいて予め記録されている。【００２４】
この態様によれば、後述される情報再生装置によって、内周側に配置される第２情報記録エリアにおいて、フォーカス制御やトラッキング制御を含む各種自動制御をより高精度に行わせ、より高精度な管理情報の再生を実現させることが可能である。【００２５】
この態様では、前記第１トラックピッチは、０．３２（μｍ）であり、前記第２トラックピッチは、０．３５（μｍ）であるように構成してもよい。【００２６】
このように構成すれば、例えば、ＢＤ（Blu-ray Disc）等の所定の規格に準拠することが可能となる。【００２７】
本発明の情報記録媒体の他の態様では、前記第２トラックに、前記記録マークが予め記録されているか否かを示す識別情報（フラグ）が予め記録されている。【００２８】
この態様によれば、後述される情報再生装置によって、取得された識別情報に基づいて、グルーブトラックにおいて、記録マークが予め記録されているか否かを、迅速且つ的確に判定して、当該情報記録媒体を迅速且つ的確に再生することが可能となる。【００２９】
この態様では、当該情報記録媒体を判別可能であると共に、トラッキング制御に依存せずに読み取り可能な判別情報が予め記録された判別情報記録エリア（ＢＣＡ：Burst Cutting Area）を更に有し、前記識別情報は、前記判別情報に含まれるように構成してもよい。【００３０】
このように構成すれば、トラッキング制御を行うことなく、光ディスクの回転制御だけで、識別情報を、判別情報記録エリアから再生すること可能である。【００３１】
本発明の情報記録媒体の他の態様では、前記第１情報記録エリアにおいては、（ｉ−１）前記第１トラックとしての第１グルーブトラックと、（ｉ−２）第１ランドトラックとが交互に形成されており、前記第２情報記録エリアにおいては、（ｉｉ−１）前記第２トラックとしての第２グルーブトラックと、（ｉｉ−２）第２ランドトラックとが交互に形成されている。【００３２】
この態様によれば、当該情報記録媒体において、例えば、グルーブトラックにおいて、記録マークを予め記録させることによって、後述される情報再生装置において、フォーカス制御やトラッキング制御を含む各種自動制御をより高精度に行わせ、より高精度な情報の再生を実現させることが可能である。【００３３】
本発明の情報記録媒体の他の態様では、複数の情報を夫々記録するための複数の記録層を備えており、前記複数の記録層のうち、少なくとも一の記録層は、前記第１情報記録エリア、及び前記第２情報記録エリアを備える。【００３４】
この態様によれば、多層型の情報記録媒体に含まれる一の記録層のトラックにおいて、記録マークを予め記録させることによって、後述される情報再生装置において、フォーカス制御やトラッキング制御を含む各種自動制御をより高精度に行わせ、より高精度な情報の再生を実現させることが可能である。【００３５】
（情報再生装置）
以下、本発明の情報再生装置について説明する。【００３６】
上記課題を解決するために、本発明の情報再生装置は、レーザ光によって、第１情報（ユーザ情報：ユーザデータ）を第１トラックピッチに基づいて記録又は再生するための第１トラックが形成された第１情報記録エリア（ユーザデータエリア又は第１管理情報記録エリア）と、前記レーザ光によって、第２情報（管理情報）を第１トラックピッチとは異なる第２トラックピッチに基づいて記録又は再生するための第２トラックが形成された第２情報記録エリア（第２管理情報記録エリア：プリ記録エリア）とを少なくとも備え、前記第２トラックに、記録マークが予め記録されている情報記録媒体であって、前記第２トラックに、前記記録マークが予め記録されているか否かを示す識別情報（フラグ）が予め記録されている情報記録媒体を再生する情報再生装置であって、レーザ光を照射し、その反射光を受光する光ピックアップ手段と、前記識別情報を取得する取得手段と、前記光ピックアップ手段の出力、及び取得された前記識別情報に基づいて、前記第１情報、及び前記第２情報を再生する再生手段とを備える。【００３７】
本発明の情報再生装置によれば、先ず、光ピックアップ手段によって、レーザ光が照射され、その反射光が受光される。同時に、又は、相前後して、取得手段によって、前記第２トラックに、記録マークが予め記録されているか否かを示す識別情報（フラグ）が取得される。次に、再生手段によって、光ピックアップ手段の出力、及び、取得された前記識別情報に基づいて、第１情報、及び第２情報が再生される。【００３８】
この結果、当該情報再生装置によって、取得された識別情報に基づいて、第２トラックに、記録マークが予め記録されているか否かを、迅速且つ的確に判定して、当該情報記録媒体を迅速且つ的確に再生することが可能となる。【００３９】
尚、上述した本発明の情報記録媒体が有する各種態様に対応して、本発明の情報再生装置も各種態様を採ることが可能である。【００４０】
本発明の情報再生装置の一の態様では、前記情報記録媒体は、当該情報記録媒体を判別可能であると共に、トラッキング制御に依存せずに読み取り可能な判別情報が予め記録された判別情報記録エリア（ＢＣＡ：Burst Cutting Area）を更に有し、前記識別情報は、前記判別情報に含まれ、前記判別情報をトラッキング制御に依存せずに読み取り可能な読取手段を更に備え、前記再生手段は、更に、読み取られた前記判別情報に基づいて、前記第１情報、及び前記第２情報を再生する。【００４１】
この態様によれば、トラッキング制御を行うことなく、情報記録媒体の回転制御だけで、識別情報を判別情報記録エリアから再生すること可能である。【００４２】
（情報記録媒体の製造装置）
以下、本発明の情報記録媒体の製造装置について説明する。【００４３】
上記課題を解決するために、本発明の情報記録媒体の製造装置は、レーザ光によって、第１情報（ユーザ情報：ユーザデータ）を第１トラックピッチに基づいて記録又は再生するための第１トラックが形成された第１情報記録エリア（ユーザデータエリア又は第１管理情報記録エリア）と、前記レーザ光によって、第２情報（管理情報）を第１トラックピッチとは異なる第２トラックピッチに基づいて記録又は再生するための第２トラックが形成された第２情報記録エリア（第２管理情報記録エリア：プリ記録エリア）とを少なくとも備える情報記録媒体を製造する製造装置であって、前記第２トラックに、記録マークを予め記録する記録手段と、前記情報記録媒体において、前記記録マークを予め記録する所定の位置を設定する位置設定手段と、設定された前記所定の位置において、前記記録マークを予め記録するように前記記録手段を制御する制御手段とを備える。【００４４】
本発明の情報記録媒体の製造装置によれば、原板作成手段によって、例えば、フォトレジストのスピンコートに基づいて、第１トラック、及び第２トラックの溝形状に対応した原板が作成される。【００４５】
次に、原板加工手段によって、レーザカッティング用レーザ光のレーザパワーに基づいて、原板が、溝形状に対応されるように加工される。次に、スタンパ作成手段によって、加工された原板から、電鋳に基づいて、スタンパが作成される。次に、例えば射出成型機等の成型手段によって、作成されたスタンパによって情報記録媒体が、例えば射出成型され、反射膜の塗布等の処理を経て、情報記録媒体が製造される。【００４６】
最後に、記録手段によって、第２トラックに、記録マークが予め記録される。【００４７】
この結果、第２トラックピッチに基づく第２トラックに、記録マークが予め記録された情報記録媒体を、より簡便且つ高精度に製造することが可能となる。【００４８】
尚、上述した本発明の情報記録媒体が有する各種態様に対応して、本発明の情報記録媒体の製造装置も各種態様を採ることが可能である。【００４９】
（情報再生方法）
以下、本発明の情報再生方法について説明する。【００５０】
上記課題を解決するために、本発明の情報再生方法は、レーザ光によって、第１情報（ユーザ情報：ユーザデータ）を第１トラックピッチに基づいて記録又は再生するための第１トラックが形成された第１情報記録エリア（ユーザデータエリア又は第１管理情報記録エリア）と、前記レーザ光によって、第２情報（管理情報）を第１トラックピッチとは異なる第２トラックピッチに基づいて記録又は再生するための第２トラックが形成された第２情報記録エリア（第２管理情報記録エリア：プリ記録エリア）とを少なくとも備え、前記第２トラックに、記録マークが予め記録されている情報記録媒体であって、前記第２トラックに、前記記録マークが予め記録されているか否かを示す識別情報（フラグ）が予め記録されている情報記録媒体を再生するために、レーザ光を照射し、その反射光を受光する光ピックアップ手段を含む情報再生装置における情報再生方法であって、前記識別情報を取得する取得工程と、前記光ピックアップ手段の出力、及び取得された前記識別情報に基づいて、前記第１情報、及び前記第２情報を再生する再生工程とを備える。【００５１】
本発明の情報再生方法によれば、上述した本発明の情報再生装置が有する各種利益を享受することが可能となる。【００５２】
尚、上述した本発明の情報再生装置が有する各種態様に対応して、本発明の情報再生方法も各種態様を採ることが可能である。【００５３】
（情報記録媒体の製造方法）
以下、本発明の情報記録媒体の製造方法について説明する。【００５４】
上記課題を解決するために、本発明の情報記録媒体の製造方法は、レーザ光によって、第１情報（ユーザ情報：ユーザデータ）を第１トラックピッチに基づいて記録又は再生するための第１トラックが形成された第１情報記録エリア（ユーザデータエリア又は第１管理情報記録エリア）と、前記レーザ光によって、第２情報（管理情報）を第１トラックピッチとは異なる第２トラックピッチに基づいて記録又は再生するための第２トラックが形成された第２情報記録エリア（第２管理情報記録エリア：プリ記録エリア）とを少なくとも備える情報記録媒体を製造する製造方法であって、前記第２トラックに、記録マークを予め記録する記録工程と、前記情報記録媒体において、前記記録マークを予め記録する所定の位置を設定する位置設定工程と、設定された前記所定の位置において、前記記録マークを予め記録するように前記記録手段を制御する制御工程とを備える。【００５５】
本発明の情報記録媒体の製造方法によれば、上述した本発明の情報記録媒体の製造装置が有する各種利益を享受することが可能となる。【００５６】
尚、上述した本発明の情報記録媒体の製造装置が有する各種態様に対応して、本発明の情報記録媒体の製造方法も各種態様を採ることが可能である。【００５７】
本発明のこのような作用及び他の利得は次に説明する実施例から明らかにされる。【００５８】
以上説明したように、本発明の情報記録媒体によれば、レーザ光によって、第１情報を第１トラックピッチに基づいて記録又は再生するための第１トラックが形成された第１情報記録エリアと、レーザ光によって、第２情報を第１トラックピッチとは異なる第２トラックピッチに基づいて記録又は再生するための第２トラックが形成された第２情報記録エリアとを少なくとも備え、第２トラックに、記録マークが予め記録されている。この結果、情報再生装置において、フォーカス制御やトラッキング制御を含む各種自動制御をより高精度に行わせ、より高精度な情報の再生を実現させることが可能である。【００５９】
本発明の情報再生装置及び方法によれば、光ピックアップ手段と、取得手段及び工程と、再生手段及び工程とを備える。この結果、当該情報再生装置によって、取得された識別情報に基づいて、第２トラックに、記録マークが予め記録されている否かを、迅速且つ的確に判定して、当該情報記録媒体を迅速且つ的確に再生することが可能となる。【００６０】
本発明の情報製造装置及び方法によれば、記録手段及び工程とを備える。この結果、第２トラックピッチに基づく第２トラックに、記録マークが予め記録された情報記録媒体を、より簡便且つ高精度に製造することが可能となる。
【図面の簡単な説明】
【００６１】
【図１】本発明の情報記録媒体の第１実施例に係る光ディスク１００の基本構成を示した概略平面図、及び、当該平面図に対応付けられる、半径方向における記録エリアの構造を図式的に示した概念図である。
【図２】本発明の情報記録媒体の実施例に係る光ディスクにおける、トラックピッチに基づいた物理的な構成を図式的に示した拡大平面図、及び、対応される概略平面図である。
【図３】本発明の情報記録媒体の実施例に係る光ディスクの記録面における部分拡大斜視図である。
【図４】本発明の情報記録媒体の実施例に係る光ディスクにおいて、記録マークが予め記録されたグルーブトラックの物理的な構成を図式的に示した拡大平面図、及び、対応される概略平面図である。
【図５】本発明の情報記録媒体の実施例に係る光ディスクにおける、物理的な構成に対応される、再生特性の一具体例であるプッシュプル信号を図式的に示したグラフ、及び、対応される概略平面図である。
【図６】本発明の情報記録媒体の実施例に係る光ディスクにおける、物理的な構成に対応される、プッシュプル信号と、フォーカスエラー信号との関係を示した概念図である。
【図７】本発明の所定の割合の値を決定するパラメータである光反射率の一例を示したグラフ（図７（ａ））、及び、所定の割合の一例に対応される記録マークを示した模式図（図７（ｂ））である。
【図８】本発明の情報再生装置に係る実施例における情報再生装置２００の全体構成を示すブロック図である。
【図９】本発明の製造装置に係る実施例であるマスタリング装置の全体構成を示すブロック図である。
【図１０】本発明の情報記録媒体の製造装置に係る製造手順を図式的に示した模式図である。
【図１１】本発明の情報記録媒体に係る第２実施例における、第２管理情報記録エリアに形成されたグルーブトラックにおいて、記録マークが予め記録されているか否かを示す識別情報（フラグ）等を含む管理情報を示したテーブルである。
【図１２】本発明の情報記録媒体に対する再生方法の一具体例を示したフローチャートである。
【図１３】本発明の情報記録媒体に係る第３実施例の光ディスクの半径方向における記録エリアの構造を図式的に示した概念図である。
【符号の説明】
【００６２】
１…センターホール、１０…トラック、１１…ＥＣＣブロック、２０…第２管理情報記録エリア、２１…第１管理情報記録エリア、５０…マスタリング装置、１００…光ディスク、１０１…リードインエリア、１０２…ユーザデータエリア、１０３…リードアウトエリア、１０４…ミドルエリア、２００…情報再生装置、ＣＫ１…第１クロック信号、ＣＫ２…第２クロック信号、ＴＰ１（ＴＰ２）…トラックピッチ
【発明を実施するための最良の形態】
【００６３】
以下、本発明を実施するための最良の形態について実施例毎に順に図面に基づいて説明する。【００６４】
（１）情報記録媒体の第１実施例
以下、図１から図７を参照して本発明の情報記録媒体に係る第１実施例について説明を進める。【００６５】
（１−１）基本構成
先ず、図１を参照して、本発明の情報記録媒体の第１実施例に係る光ディスクの基本構成の概略について説明する。ここに、図１は、本発明の情報記録媒体の第１実施例に係る光ディスク１００の基本構成を示した概略平面図、及び、当該平面図に対応付けられる、半径方向における記録エリアの構造を図式的に示した概念図である。【００６６】
図１に示すように、本実施例に係る光ディスク１００は、例えば、ＤＶＤと同じく直径１２ｃｍ程度のディスク本体上の記録面に、センターホール１を中心として内周側から外周側に向けて、ＢＣＡ（Burst Cutting Area）、第１管理情報記録エリア２１、及び第２管理情報記録エリア２０を含むリードインエリア１０１、ユーザデータエリア１０２、及びリードアウトエリア１０３が設けられている。ここに、「第１及び第２管理情報記録エリア」とは、当該光ディスクの管理情報の一部又は全部として、例えば最適記録パワー等の記録特性に関する情報や、光ディスクの種類を特定するための属性情報等が予め記録される記録領域のことである。尚、第１管理情報記録エリア２１のトラックピッチは、０．３２μｍに設定され、第２管理情報記録エリア２０のトラックピッチは、０．３５μｍに設定されている。特に、本実施例においては、例えばユーザデータエリア１０２、又は、第１管理情報記録エリアによって、本発明の第１情報記録エリアの一具体例が構成されている。加えて、第２管理情報記録エリアによって、本発明の第２情報記録エリアの一具体例が構成されている。また、ＢＣＡ（Burst Cutting Area）は、光ディスクの各種の属性を判別可能である判別情報が予め記録された記録エリアのことである。より具体的には、ＢＣＡは、複数のトラックに跨って、バーコード状に低密度で判別情報を記録可能であり、トラッキング制御を行うことなく、光ディスクの回転制御だけで、判別情報を再生すること可能である。また、判別情報の具体例としては、例えば光ディスク１００の一枚一枚に固有な製造番号、所謂、メディアＩＤ等を挙げることができる。【００６７】
そして、各記録エリアには、例えば、センターホール１を中心にスパイラル状或いは同心円状に、例えば、グルーブトラック及びランドトラック等のトラック１０が交互に設けられている。このトラック１０上には、データがＥＣＣ（Error Correction Code）ブロック１１という単位で分割されて記録される。ＥＣＣブロック１１は、データのエラー訂正が可能な当該データの管理単位である。【００６８】
尚、光ディスク１００の形状や大きさはこれに限定されるものではなく、様々な大きさ及び様々な形状を採用しても良いことは言うまでもない。例えば、本発明の光ディスク１００は、単層構造でなくてもよい。後述されるように、２層片面、即ち、デュアルレイヤタイプ、又は、２層両面、即ち、ダブルサイドタイプであってもよい。更に、３層以上の多層型の光ディスクであってもよい。【００６９】
（１−２）情報記録媒体の物理的な構成、及び再生特性
次に、図２から図７を参照して、本発明の情報記録媒体の実施例に係る光ディスクにおける、例えばプッシュプル信号に基づいた再生特性に対応される、物理的な構成について説明する。ここに、図２は、本発明の情報記録媒体の実施例に係る光ディスクにおける、トラックピッチに基づいた物理的な構成を図式的に示した拡大平面図、及び、対応される概略平面図である。図３は、本発明の情報記録媒体の実施例に係る光ディスクの記録面における部分拡大斜視図である。図４は、本発明の情報記録媒体の実施例に係る光ディスクにおいて、記録マークが予め記録されたグルーブトラックの物理的な構成を図式的に示した拡大平面図、及び、対応される概略平面図である。図５は、本発明の情報記録媒体の実施例に係る光ディスクにおける、物理的な構成に対応される、再生特性の一具体例であるプッシュプル信号を図式的に示したグラフ、及び、対応される概略平面図である。図６は、本発明の情報記録媒体の実施例に係る光ディスクにおける、物理的な構成に対応される、プッシュプル信号と、フォーカスエラー信号との関係を示した概念図である。図７は、本発明の所定の割合の値を決定するパラメータである光反射率の一例を示したグラフ（図７（ａ））、及び、所定の割合の一例に対応される記録マークを示した模式図（図７（ｂ））である。【００７０】
図２に示されるように、本発明の情報記録媒体の実施例に係る光ディスクにおいては、２種類のトラックピッチに基づいて、グルーブトラックが形成されている。詳細には、ユーザデータエリア１０２に対応される、グルーブトラック（即ち、本発明の第１トラックの一具体例）は、例えば０．３２（μｍ）のトラックピッチに基づいて、形成されている。加えて、第２管理情報記録エリア２０に対応される、グルーブトラック（即ち、本発明の第２トラックの一具体例）は、例えば０．３５（μｍ）のトラックピッチに基づいて、形成されている。このように、光ディスクを管理する管理情報が予め記録される第２管理情報記録エリア２０のトラックピッチが相対的に大きくされることで、隣接トラックからの影響、即ち、クロストークによる再生品質の低下を抑制し、情報再生装置による、管理情報の確実な読み取りを実現することが可能となる。特に、レーザ光が、例えば波長が４０５ｎｍ等である相対的に短い波長のＢＤ等のように、スポット径が、例えばＤＶＤ等におけるスポット径よりも小さくなる場合、上述したようにトラックピッチを相対的に大きくすることは、再生品質の向上の観点で大変効果的であり望ましい。尚、本発明の情報記録媒体の実施例に係る光ディスクにおいては、上述した２種類の記録領域とは、例えば物理的な各種特性が異なる遷移領域を、例えば第２管理情報記録エリアと、ユーザデータエリアとの間に設けるようにしてもよい。【００７１】
次に、図３を参照して、本発明の情報記録媒体の実施例に係る光ディスクの記録面における物理的な構造について詳細に説明する。尚、図３においては、説明の便宜上、レーザ光は、上側から下側に向かって照射され、照射されるレーザ光に対して凸部によって、グルーブトラックＧＴが示され、凹部によって、ランドトラックＬＴが示される。言い換えると、仮にレーザ光が下側から上側に向かって照射され、照射されるレーザ光に対して凹部によって、グルーブトラックＧＴが示され、凸部によって、ランドトラックＬＴが示される。尚、一般的には、後述される原板が作成される際のカッティングする部分をグルーブ（溝）（凹部に相当される）と称すことを付記しておく。【００７２】
図３に示すように、本実施例に係る光ディスク１００は、ディスク状の保護層２０６上に（図３では下側に）、情報記録面を構成する加熱などによる非可逆変化記録型の記録層２０７が積層され、更にその上に（図３では下側）に、反射膜２０８が積層されている。
そして、反射膜２０８の上には（図３では下側）、基板２０５が形成され、外部からの埃や傷等から光ディスク１００を保護している。記録層２０７の表面からなる情報記録面には、グルーブトラックＧＴ及びランドトラックＬＴが交互に形成されている。尚、光ディスク１００の記録時及び再生時には、例えば図３に示したように、保護層２０６を介してグルーブトラックＧＴ上に、レーザ光ＬＢが照射される。例えば、記録時には、記録レーザパワーでレーザ光ＬＢが照射されることで、記録データに応じて、記録層２０７への加熱などによる非可逆変化記録が実施される。他方、再生時には、記録レーザパワーよりも弱い再生レーザパワーでレーザ光ＬＢが照射されることで、記録層２０７へ書き込みされた記録データの読出しが実施される。尚、本実施例では、例えばユーザデータエリアのグルーブトラックにおいて、記録マークを記録しても、ランドトラックにおいて、記録マークを記録するようにしてもよい。【００７３】
そして、グルーブトラックＧＴは、ウォブリングされており、そのウォブル１１９の周期は所定値に設定されている。このウォブル１１９により記録中のディスク回転制御や記録動作時に用いられる基準クロックＢ＿ＣＬＫの生成、また記録アドレス等のデータ記録に必要な情報を得ることができる。尚、グルーブトラックＧＴのウォブル１１９を周波数変調や位相変調など所定の変調方式により変調することによりプリフォーマットアドレスを予め記録するようにしてもよい。【００７４】
次に、図４に示されるように、本発明の情報記録媒体の実施例に係る光ディスクにおいては、第２管理情報記録エリア２０に形成されるグルーブトラックは、記録マークが予め記録されている。特に、図４中のグレー部分はグルーブトラックにおける溝が形成された部分を示すと共に、白抜き部分は記録マークが予め記録された部分を示す。より詳細には、第２管理情報記録エリア２０に形成されるグルーブトラックは、所定の割合で記録マークが予め記録されるようにしてもよい。ここに、「所定の割合」とは、（ｉ）記録マークの長さと、（ｉｉ）記録マークが予め記録されていない間隙であるスペースの長さと記録マークの長さとの和と、の割合を意味するようにしてもよい。或いは、記録マークの長さと、スペースの長さとの割合を示すようにしてもよい。所定の割合の詳細な説明については後述される。また、本実施例では、グルーブトラックにおいて、記録マークを予め記録したが、ランドトラックにおいて、記録マークを予め記録するようにしてもよい。【００７５】
次に、図５中の信号波形図に示されるように、本発明の情報記録媒体の実施例に係る光ディスクにおいては、ユーザデータエリア１０２から読み取られるプッシュプル信号と、第２管理情報記録エリア２０から読み取られるプッシュプル信号とは異なり、第２管理情報記録エリア２０から読み取られるプッシュプル信号の振幅は、ユーザデータエリア１０２から読み取られるプッシュプル信号の振幅と比較して、相対的に大きくなる。【００７６】
特に、本発明の情報記録媒体の実施例に係る光ディスクにおいては、前述した図４に示されるように、第２管理情報記録エリア２０に形成されるグルーブトラックは、記録マークが予め記録されている。従って、図６中の左上側の信号波形図に示されるように、第２管理情報記録エリア２０から読み取られるプッシュプル信号の振幅が仮に大きくなっても、第２管理情報記録エリア２０から得られるフォーカスエラー信号の振幅を大きくさせ、例えば、トラックピッチが相対的に大きいトラックが形成された第２管理情報記録エリアにおいては、当該記録エリアの光反射率を高めることが可能な記録マークが、例えば所定の割合で予め記録される。このことにより、例えば情報再生装置によるフォーカス制御のためのフォーカスエラー信号を、記録マークが予め記録されていない場合よりも、相対的に大きくさせることが可能である。即ち、情報再生装置によるトラッキング制御の際に、半径方向に２分割された受光面から夫々検出される検出信号の差に基づいて生成されるプッシュプル信号の振幅が、トラックピッチが相対的に大きいことに伴って、相対的に大きくなっても、フォーカスエラー信号（図６中の右下側部を参照）そのものを相対的に大きくさせることが可能である。【００７７】
特に、「所定の割合」についての一の具体例としては、次式（１）によって、定義されるようにしてもよい。【００７８】
所定の割合＝（「Rtgt」−「Runrec」）／（「Rrec」−「Runrec」）  …（１）
尚、「Rtgt」は、第２管理情報記録エリア２０における目標となる光反射率である。「Runrec」は、未記録状態の記録層における光反射率である。「Rrec」は、記録済み状態の記録層における光反射率である。具体的には、図７（ａ）に示されるように、未記録状態の光反射率「Runrec」が、１０％であり、記録済み状態の光反射率「Rrec」が、４０％であり、目標となる光反射率「Rtgt」が、２０％である場合、式（１）によって、「所定の割合」は、「１／３」となる。よって、図７（ｂ）に示されるように、例えばデューティ比に基づいて、記録マークの長さを「１」に対して、スペースの長さを「２（＝３−１）」とすると、目標となる光反射率である２０％が、第２管理情報記録エリア２０において取得することが可能である。また、「所定の割合」の具体的な値は、後述されるように、所定振幅のフォーカスエラー信号が得られるように決定されるようにしてもよい。即ち、「所定の割合」の調整は、例えば、実験的、経験的又は理論的若しくはシミュレーション等により、所定の割合を変えて、個別具体的に、所望のフォーカスエラー信号が得られるようにすればよい。加えて、所定の割合は、例えば、光ピックアップの対物レンズ等の再生光学系の開口率（ＮＡ：Numerical Aperture）、及び、レーザ光の波長に基づいて決定されるようにしてもよい。【００７９】
或いは、「所定の割合」についての他の具体例としては、上述したデューティ比におけるウォブルの周期とは関連しない、他の周期に基づいて、定義されるようにしてもよい。
詳細には、ウォブルの周波数帯域とは、例えば桁違いに離れた、周波数帯域に対応される他の周期に基づいて、記録マークが繰り返し記録されるようにしてもよい。【００８０】
以上の結果、例えば対物レンズを面振れ方向やトラック振れ方向に変位させるアクチュエータを駆動する駆動回路において、第２情報記録エリアから得られる、相対的に大きくなったプッシュプル信号に起因される漏れ込みノイズ（図６中の左下側部を参照）による、例えば非点収差法等のフォーカス制御への影響を低減させ、悪影響を殆ど又は完全に無くすことが可能である。従って、後述される情報再生装置において、フォーカス制御やトラッキング制御を含む各種自動制御をより高精度に行わせ、より高精度な情報の再生を実現させることが可能である。【００８１】
（２）情報再生装置
次に、図８を参照して、本発明の情報再生装置の実施例について詳細に説明する。特に、本実施例は、本発明に係る情報再生装置を光ディスク用の情報再生装置に適用した例である。【００８２】
（２−１）基本構成
先ず、図８を参照して、本発明の情報再生装置に係る実施例における情報再生装置２００の基本構成について説明する。ここに、図８は、本発明の情報再生装置に係る実施例における情報再生装置２００の全体構成を示すブロック図である。【００８３】
情報再生装置２００は、光ディスク１００、光ピックアップ２０２、スピンドルモータ２０３、ヘッドアンプ２０４、総和生成回路２１０、マークデータ復調回路２１１、マークデータ訂正回路２１２、バッファ２１３、インターフェース２１４、プッシュプル信号生成回路２２０、ローパスフィルタ２２１及びサーボユニット２２２を備えて構成されている。【００８４】
光ディスク１００には、第１クロック信号ＣＫ１に同期したマークデータＤＰが記録マークＭＫの長短によって記録されている。ＲＦ再生信号成分の第１クロック信号ＣＫ１は、前述の光ディスク１００の各種実施例で説明したように、ウォブリング等に応じて、ほぼ一定周期で変動する光ディスク１００のＲＦ再生信号成分から、当該情報再生装置２００により生成可能な信号であり、本実施例では、マークデータ復調回路２１１により生成される。尚、本実施例では、記録マークＭＫはピットとも解釈でき、トラックはこのピット列によって構成される。【００８５】
情報再生装置２００は、より具体的には、光ディスク１００に対して再生ビームを照射するとともに反射光に応じた信号を出力する光ピックアップ２０２と、光ディスク１００の回転を制御するスピンドルモータ２０３と、サーボユニット２２２を備える。サーボユニット２２２には、第１クロック信号ＣＫ１及びマーク同期信号ＳＹＮＣｐが供給される。サーボユニット２２２は、これらの信号に同期して、スピンドルモータ２０３の回転を制御するスピンドルサーボ、光ピックアップ２０２の光ディスク１００に対する相対的位置制御であるフォーカスサーボ及びトラッキングサーボを実行する。【００８６】
光ピックアップ２０２は、再生ビームを照射するレーザーダイオード、図示しない４分割検出回路を備える。４分割検出回路は、再生ビームの反射光を図６の上方に示す領域１Ａ、１Ｂ、１Ｃ、１Ｄに４分割し、各領域の光量に応じた信号を各々出力する。ヘッドアンプ２０４は、光ピックアップ２０２の各出力信号を各々増幅し、領域１Ａに対応する分割読取信号１ａ、領域１Ｂに対応する分割読取信号１ｂ、領域１Ｃに対応する分割読取信号１ｃ、及び領域１Ｄに対応する分割読取信号１ｄを出力する。【００８７】
総和生成回路２１０は、分割読取信号１ａ、１ｂ、１ｃ、及び１ｄを加算して、総和読取信号ＳＲＦを出力する加算回路からなる。なお、総和読取信号ＳＲＦは、記録マークの長短を表す信号である。【００８８】
マークデータ復調回路２１１は、総和読取信号ＳＲＦに基づいてマークデータＤＰを再生すると共に第１クロック信号ＣＫ１を生成する。より具体的にはマークデータ復調回路２１１は、マーク同期信号ＳＹＮＣｐを基準位置として、再生されたマークデータＤＰを所定のテーブルを用いて復調して再生データを生成する。例えば、変調方式としてＲＬＬ（１，７）変調、所謂、Run Length Limited（１，７）Modulationが採用される場合には、３ビットのマークデータＤＰを２ビットの再生データに変換する処理が施される。そして、再生データの順序を予め定められた規則に従って並べ換えるデスクランブル処理が実行されて、処理済の再生データが出力される。【００８９】
このようにして得られた再生データは、マークデータ訂正回路２１２へ供給され、そこで、エラー訂正処理や補間処理等が施された後、バッファ２１３に記憶される。インターフェース２１４はバッファ２１３に記憶されたデータを順次読み出して所定の出力形式に変換して外部機器へ出力する。【００９０】
プッシュプル信号生成回路２２０は、（１ａ＋１ｄ）−（１ｂ＋１ｃ）を算出して、プッシュプル信号を生成する。成分（１ａ＋１ｄ）は、読取方向に対して左側の領域１Ａ及び１Ｄに対応する一方、成分（１ｂ＋１ｃ）は、読取方向に対して右側の領域１Ｂ及び１Ｃに対応する。プッシュプル信号の値は再生ビームとトラックとの相対的な位置関係を表している。【００９１】
プッシュプル信号はローパスフィルタ２２１を介してサーボユニット２２２へ出力される。サーボユニット２２２は、プッシュプル信号に基づいてトラッキング制御を実行する。【００９２】
（３）情報記録媒体の製造装置（マスタリング装置）
次に、図９及び図１０を参照して、本発明の情報記録媒体の製造装置の実施例について詳細に説明する。特に、本実施例は、本発明の情報記録媒体の製造装置に係る実施例を光ディスク用のマスタリング装置に適用した例である。【００９３】
（３−１）全体構成
先ず、図９を参照して、本発明の製造装置に係る実施例であるマスタリング装置の全体構成について説明する。ここに、図９は、本発明の製造装置に係る実施例であるマスタリング装置の全体構成を示すブロック図である。【００９４】
図９に示されるように、マスタリング装置５０は、ディスク原板ＤＳを作成するための装置であり、記録ユニット５２、ディスク原板ＤＳを回転させるスピンドルモータ５３及びサーボユニット５４を備える。ディスク原板ＤＳは、例えば、フォトレジストを塗布したガラス原板として構成される。記録ユニット５２は、レーザ光を照射するレーザ装置、レーザ光をディスク原板ＤＳに集光させる光学系、レーザ装置及び光学系を一体として、ディスク原板ＤＳの半径方向に移動させるスライダー装置を備える。レーザ装置は、ドライバ６５から供給される駆動信号に応じたレーザパワーのレーザ光を発光する。スライダー装置はサーボユニット５４からの制御信号に従って、光学系及びレーザ装置をディスク原板ＤＳの半径方向に移動させる。【００９５】
サーボユニット５４には、第１クロック信号ＣＫ１及びピット同期信号ＳＹＮＣｐが供給される。サーボユニット５４は、これらの信号に同期して、スピンドルモータ５３の回転を制御するスピンドルサーボ、レーザ光のフォーカスを制御するフォーカスサーボ及びスライダー装置を制御するスライドサーボを実行する。そして、トラックピッチの制御を行うのである。また、図示しないウォブル変調器によりレーザ光を半径方向に移動させ溝形状を形成する。【００９６】
第１クロック信号ＣＫ１は第１クロック信号発生回路７１によって生成される。また、分周回路７２は、第１クロック信号ＣＫ１を分周して、第２クロック信号ＣＫ２等を生成する。第２クロック信号ＣＫ２はウォブル信号ＷＢの生成に用いられ、その時間基準となる。【００９７】
説明を図９に戻す。マスタリング装置５０には、外部機器から入力データＤｉｎが供給される。入力データＤｉｎはインターフェース６０を介してバッファ６１に取り込まれる。バッファ６１に取り込まれた入力データＤｉｎは、ＣＰＵ（Central Processing Unit）の制御の下、ウォブルデータＤＷとに分割され、ウォブルデータメモリ６６とに各々転送される。そして、ウォブルデータメモリ６６に記憶されたウォブルデータＤＷは、ＣＰＵの制御の下、そこから読み出されてＥＣＣ生成回路６７に供給される。ＥＣＣ生成回路６７はウォブルデータＤＷに基づいてエラー訂正コードを生成し、これをウォブルデータＤＷに付加する。ウォブルデータ生成回路６９は、ウォブルデータＤＷにウォブル同期信号ＳＹＮＣｗを付加した後、データＳＳを生成する。【００９８】
ウォブル信号生成回路７０は、データＳＳに所定の変調を施してウォブル信号ＷＢを生成する。ここで、２種類のグルーブトラックに夫々対応した、２種類のウォブル信号を生成するのである。【００９９】
（３−２）製造手順
次に図１０を参照して、本発明の情報記録媒体の製造装置に係る製造手順について、その作用効果の検討を含めて説明する。ここに、図１０は、本発明の情報記録媒体の製造装置に係る製造手順を図式的に示した模式図である。【０１００】
図１０中のステップ１に示されるように、ガラス原板において、当該ガラス原板が回転されながら粘性のあるフォトレジスト（感光樹脂）が、滴下され均一な厚さで塗布される、所謂、スピンコートが行われる。【０１０１】
次に、図１０中のステップ２に示されるように、ユーザデータエリアを形成するためのガラス原板の部分１０２ａ、及び、第２管理情報記録エリアを形成するためのガラス原板の部分２０ａにおいて、例えば電子線や紫外線等のカッティング用レーザ光が、所定のレーザパワーで照射される。このようにカッティング用レーザ光が照射された部分は、光エネルギーによりフォトレジストが分子のレベルで結合が切られた状態になるので、現像液に浸されることによって、穴があいた状態となり、カッティング部が、部分２０ａ及び部分１０２ａにおいて夫々形成される。詳細には、溝における幅は、レーザパワーに加えて、カッティング用レーザ光のビーム径によって決定可能である。また、溝における深さは、レーザパワーに加えて、フォトレジストの厚さによって決定可能である。尚、レーザパワーは、原板を構成するフォトレジストの感度に適切に対応していることが望ましい。【０１０２】
次に、図１０中のステップ３に示されるように、電鋳工程によって、ニッケルの薄膜の上にニッケルが積層されていき、厚いニッケル層がガラス原板の上に形成される。【０１０３】
次に、図１０中のステップ４に示されるように、ガラス原板から、ニッケル層が引き剥がされ、マスタスタンパが作成される。このマスタスタンパから、同じく電鋳工程を経て、マザースタンパ及びベビースタンパが作成される。ベビースタンパは、転写を２回経ているので、マスタスタンパと同じ凹凸が形成されている。【０１０４】
次に、図１０中のステップ５に示されるように、射出成型機によって、ベビースタンパから樹脂基板、所謂、ポリカーボネート基板が作成される。【０１０５】
次に、図１０中のステップ６に示されるように、反射膜が貼り付けられ、例えばダミー基板や信号面を保持する基板が貼り合わせられることによって、光ディスクが作成される。【０１０６】
その後、図１０中のステップ７に示されるように、光ディスクの第２管理情報記録エリア２０に相当する領域において、記録マークが、例えば所定の割合で予め記録される。ここで、上述のサーボユニット５４により記録マークを予め記録する所定の位置を設定し、上述のスライダー装置により設定された所定位置において記録マークを予め記録するように光学系及びレーザ装置を制御するのである。【０１０７】
尚、ステップ１からステップ６と、ステップ７とに製造工程を分けて、夫々別の製造装置で行っても構わない。特に、ステップ７（所謂、プリライト）は通常のマーク記録を行う記録装置で行うことが可能であるため、この工程のみを別途行っても良い。【０１０８】
（３）本発明の情報記録媒体の第２実施例
次に、本発明の情報記録媒体の第２実施例について説明する。【０１０９】
（３−１）管理情報
図１１を参照して、本発明の情報記録媒体に係る第２実施例における管理情報の一具体例について説明する。ここに、図１１は、本発明の情報記録媒体に係る第２実施例における、第２管理情報記録エリアに形成されたグルーブトラックにおいて、記録マークが予め記録されているか否かを示す識別情報（フラグ）等を含む管理情報を示したテーブルである。【０１１０】
図１１に示されるように、例えば第２管理情報記録エリアに記録される管理情報は、（ｉ）当該光ディスクが、２層型、又は単層型であることを示す情報、（ｉｉ）当該光ディスクの記録層にとって最適記録パワーの値、及び（ｉｉｉ）第２管理情報記録エリアに形成されたグルーブトラックにおいて、記録マークが予め記録されているか否かを示す識別情報（フラグ）を含むようにしてもよい。【０１１１】
加えて、前述した、トラッキング制御に依存せずに情報の読み取りが可能な判別情報記録エリア、所謂、ＢＣＡ（Burst Cutting Area）において、光ディスクの各種の属性を示す判別情報に加えて、又は、に含まれて、識別情報が予め記録されるようにしてもよい。【０１１２】
この結果、例えばＢＤプレーヤー等の情報再生装置は、再生対象となる情報記録媒体の、例えば第２管理情報記録エリアに形成されたグルーブトラックにおいて、記録マークが予め記録されている否かを、迅速且つ的確に判定して、当該情報記録媒体を迅速且つ的確に再生することが可能となる。【０１１３】
（３−２）再生方法
次に、図１２を参照して、本発明の情報記録媒体の第２実施例に対する再生方法について説明する。ここに、図１２は、本発明の情報記録媒体に対する再生方法の一具体例を示したフローチャートである。【０１１４】
図１２に示されるように、光ディスク１００が装着されると、ＣＰＵ等の制御手段の制御下で、光ピックアップ等の読出手段によって、初期動作として、例えばＢＣＡに予め記録された、各種の管理情報が取得される（ステップＳ１０１）。【０１１５】
次に、ＣＰＵ等の制御手段の制御下で、取得された管理情報に含まれる識別情報（フラグ）に基づいて、例えば第２管理情報記録エリアに形成されたグルーブトラックにおいて、記録マークが予め記録されているか否かが判定される（ステップＳ１０２）。ここで、第２管理情報記録エリアに形成されたグルーブトラックにおいて、記録マークが予め記録されている場合（ステップＳ１０２：Ｙｅｓ）、第２管理情報記録エリアに予め記録された情報の再生が行われ、各種の管理情報が取得される（ステップＳ１０３）。【０１１６】
他方、第２管理情報記録エリアに形成されたグルーブトラックにおいて、記録マークが予め記録されていない場合（ステップＳ１０２：Ｎｏ）、ユーザデータエリアとトラックピッチが同じである第１管理情報記録エリアに予め記録された情報の再生が行われ、各種の管理情報が取得される（ステップＳ１０４）。このように、各種の管理情報の全体又は部分を、複数の管理情報記録エリアに分散させて冗長性を高めて、予め記録しておくことで、管理情報のより確実且つ迅速な読み取りを実現することが可能となる。【０１１７】
次に、ＣＰＵ等の制御手段の制御下で、再生動作を終了するか否かが判定される（ステップＳ１０５）。ここで、再生動作を終了する場合（ステップＳ１０５：Ｙｅｓ）、一連の処理は終了される。他方、再生動作を終了しない場合（ステップＳ１０５：Ｎｏ）、再度、第２管理情報記録エリアに形成されたグルーブトラックの溝が分断されているか否かが判定されるようにしてもよい（ステップＳ１０２）。【０１１８】
（５）本発明の情報記録媒体の第３実施例
次に、図１３を参照して、本発明の情報記録媒体に係る第３実施例について説明する。
ここに、図１３は、本発明の情報記録媒体に係る第３実施例の光ディスクの半径方向における記録エリアの構造を図式的に示した概念図である。【０１１９】
第３実施例の光ディスク１００は、図１３に示されるように、例えば、図示しない基板に、２つの記録層、即ち、Ｌ０層及びＬ１層が積層された構造をしている。Ｌ０層は、内周側から外周側に向かって、第１管理情報記録エリア２１、及び、第２管理情報記録エリア２０を含むリードインエリア１０１−０、ユーザデータエリア１０２−０、及び、ミドルエリア１０４−０を備えて構成されている。他方、Ｌ１層は、外周側から内周側に向かって、ミドルエリア１０４−１、ユーザデータエリア１０２−１、及び、リードアウトエリア１０３−１を備えて構成されている。このような二層型の光ディスク１００の再生時には、図１３中、下側から上側に向かって照射されるレーザ光の集光位置をいずれの記録層に合わせるかに応じて、Ｌ０層における再生が行なわれるか、或いは、Ｌ１層における再生が行われる。尚、オポジット方式における再生順番は、先ず、レーザ光が照射される側から見て奥側に位置するＬ０層の内周側から外周側へ向かって再生され、続いて、レーザ光が照射される側から見て手前側に位置するＬ１層の外周側から内周側へ向かって再生されるようにしてもよい。【０１２０】
加えて、複数の情報を夫々記録するための、例えば３層以上の複数の記録層を備えており、複数の記録層のうち、少なくとも一の記録層は、第１管理情報記録エリア、及び第２管理情報記録エリアを備えるようにしてもよい。【０１２１】
上述した実施例によれば、一のトラックピッチに基づいて再生するための一のトラックが形成された第１管理情報記録エリアと、一のトラックピッチとは異なる他のトラックピッチに基づいて再生するための他のトラックが形成された第２管理情報記録エリアとを少なくとも備え、一方のトラックにおいては、記録マークが予め記録されている。この結果、情報再生装置において、フォーカス制御やトラッキング制御を含む各種自動制御をより高精度に行わせ、より高精度な情報の再生を実現させることが可能である。【０１２２】
上述した実施例では、情報記録媒体の一具体例として、例えばブルーレイ、赤色ＬＤ光、又は赤外光等の複数種類のレーザ光によって記録又は再生が可能な、単層型の光ディスクについて説明した。加えて、本発明は、例えば、２層以上の記録層を備える多層型（マルチプルレイヤ型）の光ディスクにも適用可能である。更に、他の高密度記録或いは高転送レート対応の各種の情報記録媒体にも適用可能である。【０１２３】
また、上述した実施例では、情報再生装置の一具体例として、例えば単層型の光ディスクに対応した情報再生装置について説明した。加えて、本発明は、例えば、２層以上の記録層を備える多層型（マルチプルレイヤ型）の光ディスクに対応した情報記録再生装置にも適用可能である。更に、他の高密度記録或いは高転送レート対応の各種の情報記録媒体に対応した情報記録再生装置にも適用可能である。【０１２４】
本発明は、上述した実施例に限られるものではなく、請求の範囲及び明細書全体から読み取れる発明の要旨或いは思想に反しない範囲で適宜変更可能であり、そのような変更を伴う、情報記録媒体、情報再生装置及び方法、並びに、情報記録媒体の製造装置及び方法もまた本発明の技術的範囲に含まれるものである。
【産業上の利用可能性】
【０１２５】
本発明に係る情報記録媒体、情報再生装置及び方法、並びに、情報記録媒体の製造装置及び方法は、例えばＤＶＤ（Digital Versatile Disc）、ＢＤ（Blu-ray Disc）、ＣＤ（Compact Disc）等の情報記録媒体などに利用可能であり、当該情報記録媒体に情報を再生するためのＤＶＤプレーヤー等の情報再生装置及び方法、並びに、情報記録媒体を製造する製造装置及び方法にも利用可能である。
【図１】
2007010824.tif 000002
【図２】
2007010824.tif 000003
【図３】
2007010824.tif 000004
【図４】
2007010824.tif 000005
【図５】
2007010824.tif 000006
【図６】
2007010824.tif 000007
【図７】
2007010824.tif 000008
【図８】
2007010824.tif 000009
【図９】
2007010824.tif 000010
【図１０】
2007010824.tif 000011
【図１１】
2007010824.tif 000012
【図１２】
2007010824.tif 000013
【図１３】
2007010824.tif 000014
【手続補正書】
【提出日】平成19年5月15日(2007.5.15)
【手続補正１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
レーザ光によって、第１情報を第１トラックピッチに基づいて記録又は再生するための第１トラックが形成された第１情報記録エリアと、
前記レーザ光によって、第２情報を第１トラックピッチとは異なる第２トラックピッチに基づいて記録又は再生するための第２トラックが形成された第２情報記録エリアと
を少なくとも備え、
前記第２トラックに、記録マークが予め記録されており、
前記第２トラックに、（ｉ）前記記録マークの長さと、（ｉｉ）前記記録マークが予め記録されていない間隙であるスペースの長さとの割合に基づいた前記記録マークが予め記録されていることを特徴とする情報記録媒体。
【請求項４】
レーザ光によって、第１情報を第１トラックピッチに基づいて記録又は再生するための第１トラックが形成された第１情報記録エリアと、
前記レーザ光によって、第２情報を第１トラックピッチとは異なる第２トラックピッチに基づいて記録又は再生するための第２トラックが形成された第２情報記録エリアと
を少なくとも備え、
前記第２トラックに、記録マークが予め記録されており、
前記第２トラックに、（ｉ）前記記録マークにおける光反射率と、（ｉｉ）前記記録マークが予め記録されていない間隙であるスペースにおける光反射率との割合に基づいた前記記録マークが予め記録されていることを特徴とする情報記録媒体。
【請求項５】
2007010824.tif 000015
るための第１トラックが形成された第１情報記録エリアと、
前記レーザ光によって、第２情報を第１トラックピッチとは異なる第２トラックピッチに基づいて記録又は再生するための第２トラックが形成された第２情報記録エリアと
を少なくとも備え、
前記第２トラックに、記録マークが予め記録されており、
前記第２トラックに、所定振幅のフォーカスエラー信号が得られるように、前記記録マークが予め記録されていることを特徴とする情報記録媒体。
【請求項６】
（削除）
【請求項７】
（削除）
【請求項８】
レーザ光によって、第１情報を第１トラックピッチに基づいて記録又は再生するための第１トラックが形成された第１情報記録エリアと、
前記レーザ光によって、第２情報を第１トラックピッチとは異なる第２トラックピッチに基づいて記録又は再生するための第２トラックが形成された第２情報記録エリアと
を少なくとも備え、
前記第２トラックに、記録マークが予め記録されており、
前記第２トラックに、前記記録マークが予め記録されているか否かを示す識別情報（フラグ）が予め記録されていることを特徴とする情報記録媒体。
【請求項９】
当該情報記録媒体を判別可能であると共に、トラッキング制御に依存せずに読み取り可能な判別情報が予め記録された判別情報記録エリア（ＢＣＡ：Ｂｕｒｓｔ  Ｃｕｔｔｉｎｇ  Ａｒｅａ）を更に有し、
前記識別情報は、前記判別情報に含まれることを特徴とする請求の範囲第８項に記載の情報記録媒体。
【請求項１０】
（削除）
【請求項１１】
（削除）
【請求項１２】
レーザ光によって、第１情報を第１トラックピッチに基づいて記録又は再生するための第１トラックが形成された第１情報記録エリアと、前記レーザ光によって、第２情報を第１トラックピッチとは異なる第２トラックピッチに基づいて記録又は再生するための第２トラックが形成された第２情報記録エリアとを少なくとも備え、前記第２トラックに、記録マークが予め記録されている情報記録媒体であって、前記第２トラックに、前記記録マークが予め記録されているか否かを示す識別情報が予め記録されている情報記録媒体を再生する情報再生装置であって、
レーザ光を照射し、その反射光を受光する光ピックアップ手段と、
前記識別情報を取得する取得手段と、
前記光ピックアップ手段の出力、及び取得された前記識別情報に基づいて、前記第１情報、及び前記第２情報を再生する再生手段と
を備えることを特徴とする情報再生装置。
【請求項１３】
前記情報記録媒体は、当該情報記録媒体を判別可能であると共に、トラッキング制御に依存せずに読み取り可能な判別情報が予め記録された判別情報記録エリア（ＢＣＡ：Ｂｕｒｓｔ  Ｃｕｔｔｉｎｇ  Ａｒｅａ）を更に有し、前記識別情報は、前記判別情報に含まれ、
前記判別情報をトラッキング制御に依存せずに読み取り可能な読取手段を更に備え、
前記再生手段は、更に、読み取られた前記判別情報に基づいて、前記第１情報、及び前記第２情報を再生することを特徴とする請求の範囲第１２項に記載の情報再生装置。
【請求項１４】
レーザ光によって、第１情報を第１トラックピッチに基づいて記録又は再生するための第１トラックが形成された第１情報記録エリアと、前記レーザ光によって、第２情報を第１トラックピッチとは異なる第２トラックピッチに基づいて記録又は再生するための第２トラックが形成された第２情報記録エリアとを少なくとも備え、
前記第２トラックに、記録マークが予め記録されており、
前記第２トラックに、（ｉ）前記記録マークの長さと、（ｉｉ）前記記録マークが予め記録されていない間隙であるスペースの長さとの割合に基づいた前記記録マークが予め記録されている情報記録媒体を製造する製造装置であって、
前記第２トラックに、記録マークを予め記録する記録手段と、
前記情報記録媒体において、前記記録マークを予め記録する所定の位置を設定する位置設定手段と、
設定された前記所定の位置において、前記記録マークを予め記録するように前記記録手段を制御する制御手段と
を備えることを特徴とする情報記録媒体の製造装置。
【請求項１５】
レーザ光によって、第１情報を第１トラックピッチに基づいて記録又は再生するための第１トラックが形成された第１情報記録エリアと、前記レーザ光によって、第２情報を第１トラックピッチとは異なる第２トラックピッチに基づいて記録又は再生するための第２トラックが形成された第２情報記録エリアとを少なくとも備え、前記第２トラックに、記録マークが予め記録されている情報記録媒体であって、前記第２トラックに、前記記録マークが予め記録されているか否かを示す識別情報が予め記録されている情報記録媒体を再生するために、レーザ光を照射し、その反射光を受光する光ピックアップ手段を含む情報再生装置における情報再生方法であって、
前記識別情報を取得する取得工程と、
前記光ピックアップ手段の出力、及び取得された前記識別情報に基づいて、前記第１情報、及び前記第２情報を再生する再生工程と
を備えることを特徴とする情報再生方法。
【請求項１６】
レーザ光によって、第１情報を第１トラックピッチに基づいて記録又は再生するための第１トラックが形成された第１情報記録エリアと、前記レーザ光によって、第２情報を第１トラックピッチとは異なる第２トラックピッチに基づいて記録又は再生するための第２トラックが形成された第２情報記録エリアとを少なくとも備え、
前記第２トラックに、記録マークが予め記録されており、
前記第２トラックに、（ｉ）前記記録マークの長さと、（ｉｉ）前記記録マークが予め記録されていない間隙であるスペースの長さとの割合に基づいた前記記録マークが予め記録されている情報記録媒体を製造する製造方法であって、
前記第２トラックに、記録マークを予め記録する記録工程と、
前記情報記録媒体において、前記記録マークを予め記録する所定の位置を設定する位置設定工程と、
設定された前記所定の位置において、前記記録マークを予め記録するように前記記録手段を制御する制御工程と
を備えることを特徴とする情報記録媒体の製造方法。
【手続補正書】
【提出日】平成19年12月5日(2007.12.5)
【手続補正１】
【補正対象書類名】特許請求の範囲
【補正対象項目名】全文
【補正方法】変更
【補正の内容】
【特許請求の範囲】
【請求項１】
レーザ光によって、第１情報を第１トラックピッチに基づいて記録又は再生するための第１トラックが形成された第１情報記録エリアと、
前記レーザ光によって、第２情報を第１トラックピッチとは異なる第２トラックピッチに基づいて記録又は再生するための第２トラックが形成された第２情報記録エリアと
を少なくとも備え、
前記第２トラックに、記録マークが予め記録されており、
前記第２トラックに、（ｉ）前記記録マークの長さと、（ｉｉ）前記記録マークが予め記録されていない間隙であるスペースの長さとの割合に基づいた前記記録マークが予め記録されていることを特徴とする情報記録媒体。
【請求項２】
レーザ光によって、第１情報を第１トラックピッチに基づいて記録又は再生するための第１トラックが形成された第１情報記録エリアと、
前記レーザ光によって、第２情報を第１トラックピッチとは異なる第２トラックピッチに基づいて記録又は再生するための第２トラックが形成された第２情報記録エリアと
を少なくとも備え、
前記第２トラックに、記録マークが予め記録されており、
前記第２トラックに、（ｉ）前記記録マークにおける光反射率と、（ｉｉ）前記記録マークが予め記録されていない間隙であるスペースにおける光反射率との割合に基づいた前記記録マークが予め記録されていることを特徴とする情報記録媒体。
【請求項３】
レーザ光によって、第１情報を第１トラックピッチに基づいて記録又は再生するための第１トラックが形成された第１情報記録エリアと、
前記レーザ光によって、第２情報を第１トラックピッチとは異なる第２トラックピッチに基づいて記録又は再生するための第２トラックが形成された第２情報記録エリアと
を少なくとも備え、
前記第２トラックに、記録マークが予め記録されており、
前記第２トラックに、所定振幅のフォーカスエラー信号が得られるように、前記記録マークが予め記録されていることを特徴とする情報記録媒体。
【請求項４】
レーザ光によって、第１情報を第１トラックピッチに基づいて記録又は再生するための第１トラックが形成された第１情報記録エリアと、
前記レーザ光によって、第２情報を第１トラックピッチとは異なる第２トラックピッチに基づいて記録又は再生するための第２トラックが形成された第２情報記録エリアと
を少なくとも備え、
前記第２トラックに、記録マークが予め記録されており、
前記第２トラックに、前記記録マークが予め記録されているか否かを示す識別情報（フラグ）が予め記録されていることを特徴とする情報記録媒体。
【請求項５】
当該情報記録媒体を判別可能であると共に、トラッキング制御に依存せずに読み取り可能な判別情報が予め記録された判別情報記録エリア（ＢＣＡ：Burst Cutting Area）を更に有し、
前記識別情報は、前記判別情報に含まれることを特徴とする請求項４に記載の情報記録媒体。
【請求項６】
レーザ光によって、第１情報を第１トラックピッチに基づいて記録又は再生するための第１トラックが形成された第１情報記録エリアと、前記レーザ光によって、第２情報を第１トラックピッチとは異なる第２トラックピッチに基づいて記録又は再生するための第２トラックが形成された第２情報記録エリアとを少なくとも備え、前記第２トラックに、記録マークが予め記録されている情報記録媒体であって、前記第２トラックに、前記記録マークが予め記録されているか否かを示す識別情報が予め記録されている情報記録媒体を再生する情報再生装置であって、
レーザ光を照射し、その反射光を受光する光ピックアップ手段と、
前記識別情報を取得する取得手段と、
前記光ピックアップ手段の出力、及び取得された前記識別情報に基づいて、前記第１情報、及び前記第２情報を再生する再生手段と
を備えることを特徴とする情報再生装置。
【請求項７】
前記情報記録媒体は、当該情報記録媒体を判別可能であると共に、トラッキング制御に依存せずに読み取り可能な判別情報が予め記録された判別情報記録エリア（ＢＣＡ：Burst Cutting Area）を更に有し、前記識別情報は、前記判別情報に含まれ、
前記判別情報をトラッキング制御に依存せずに読み取り可能な読取手段を更に備え、
前記再生手段は、更に、読み取られた前記判別情報に基づいて、前記第１情報、及び前記第２情報を再生することを特徴とする請求項６に記載の情報再生装置。
【請求項８】
レーザ光によって、第１情報を第１トラックピッチに基づいて記録又は再生するための第１トラックが形成された第１情報記録エリアと、前記レーザ光によって、第２情報を第１トラックピッチとは異なる第２トラックピッチに基づいて記録又は再生するための第２トラックが形成された第２情報記録エリアとを少なくとも備え、
前記第２トラックに、記録マークが予め記録されており、
前記第２トラックに、（ｉ）前記記録マークの長さと、（ｉｉ）前記記録マークが予め記録されていない間隙であるスペースの長さとの割合に基づいた前記記録マークが予め記録されている情報記録媒体を製造する製造装置であって、
前記第２トラックに、記録マークを予め記録する記録手段と、
前記情報記録媒体において、前記記録マークを予め記録する所定の位置を設定する位置設定手段と、
設定された前記所定の位置において、前記記録マークを予め記録するように前記記録手段を制御する制御手段と
を備えることを特徴とする情報記録媒体の製造装置。
【請求項９】
レーザ光によって、第１情報を第１トラックピッチに基づいて記録又は再生するための第１トラックが形成された第１情報記録エリアと、前記レーザ光によって、第２情報を第１トラックピッチとは異なる第２トラックピッチに基づいて記録又は再生するための第２トラックが形成された第２情報記録エリアとを少なくとも備え、前記第２トラックに、記録マークが予め記録されている情報記録媒体であって、前記第２トラックに、前記記録マークが予め記録されているか否かを示す識別情報が予め記録されている情報記録媒体を再生するために、レーザ光を照射し、その反射光を受光する光ピックアップ手段を含む情報再生装置における情報再生方法であって、
前記識別情報を取得する取得工程と、
前記光ピックアップ手段の出力、及び取得された前記識別情報に基づいて、前記第１情報、及び前記第２情報を再生する再生工程と
を備えることを特徴とする情報再生方法。
【請求項１０】
レーザ光によって、第１情報を第１トラックピッチに基づいて記録又は再生するための第１トラックが形成された第１情報記録エリアと、前記レーザ光によって、第２情報を第１トラックピッチとは異なる第２トラックピッチに基づいて記録又は再生するための第２トラックが形成された第２情報記録エリアとを少なくとも備え、
前記第２トラックに、記録マークが予め記録されており、
前記第２トラックに、（ｉ）前記記録マークの長さと、（ｉｉ）前記記録マークが予め記録されていない間隙であるスペースの長さとの割合に基づいた前記記録マークが予め記録されている情報記録媒体を製造する製造方法であって、
前記第２トラックに、記録マークを予め記録する記録工程と、
前記情報記録媒体において、前記記録マークを予め記録する所定の位置を設定する位置設定工程と、
設定された前記所定の位置において、前記記録マークを予め記録するように前記記録手段を制御する制御工程と
を備えることを特徴とする情報記録媒体の製造方法。